(57)【特許請求の範囲】
【請求項１】
無線通信システムにおけるアップリンクトランスポートブロック（ｔｒａｎｓｐｏｒｔ  ｂｌｏｃｋ）を送信する方法において、
端末が、基地局から半静的（ｓｅｍｉ−ｓｔａｔｉｃ）にスケジューリングされる第１のグラントフリー（ｇｒａｎｔ−ｆｒｅｅ）アップリンクリソースに対する割当情報を受信するステップと、
前記端末が、第１の参照信号を使用して前記第１のグラントフリーアップリンクリソースを介して第１のトランスポートブロックを繰り返し送信するステップと、
前記端末が、前記第１のトランスポートブロックの送信が完了する前に第２の参照信号を使用して第２のトランスポートブロックを送信するステップと、を含み、
前記第２のトランスポートブロックは、前記第１の参照信号から前記第２の参照信号への変更を介して前記第１のトランスポートブロックと区別され、
前記第２のトランスポートブロックが送信される時、前記第１のトランスポートブロックは、それ以上送信されない、または前記第２のトランスポートブロックと同時に送信される、方法。
【請求項２】
前記第２のトランスポートブロックは、前記第１のグラントフリーアップリンクリソースを介して送信され、
前記第２の参照信号のシーケンスは、前記第１の参照信号のシーケンスと異なる、請求項１に記載の方法。
【請求項３】
前記第１のトランスポートブロックの最初送信時点は、前記基地局により前記第１の参照信号を使用して確認され、
前記繰り返し送信された第１のトランスポートブロックは、前記基地局により結合して復号され、
前記第２のトランスポートブロックの最初送信時点は、前記基地局により前記第２の参照信号を使用して確認され、
前記第２のトランスポートブロックは、前記基地局により前記第１のトランスポートブロックと結合せずに復号される、請求項１に記載の方法。
【請求項４】
前記端末が、前記基地局から前記第１の参照信号に対する割当情報及び前記第２の参照信号に対する割当情報を受信するステップをさらに含み、
前記第１の参照信号に対する割当情報及び前記第２の参照信号に対する割当情報は、ＲＲＣ（Ｒａｄｉｏ  Ｒｅｓｏｕｒｃｅ  Ｃｏｎｔｒｏｌ）シグナリングを介して受信される、請求項１に記載の方法。
【請求項５】
前記端末が、前記基地局から半静的にスケジューリングされる第２のグラントフリーアップリンクリソースに対する割当情報を受信するステップをさらに含み、
前記第１のグラントフリーアップリンクリソースに対する割当情報及び前記第２のグラントフリーアップリンクリソースに対する割当情報は、ＲＲＣシグナリングを介して受信され、
前記第１のグラントフリーアップリンクリソース及び前記第２のグラントフリーアップリンクリソースは、周波数ホッピング（ｆｒｅｑｕｅｎｃｙ  ｈｏｐｐｉｎｇ）され、
前記第１のグラントフリーアップリンクリソースの周期の開始時点及び前記第２のグラントフリーアップリンクリソースの周期の開始時点は、互いに異なり、
前記第２のトランスポートブロックは、前記第２の参照信号を使用して前記第２のグラントフリーアップリンクリソースを介して送信される、請求項１に記載の方法。
【請求項６】
前記第２のトランスポートブロックが送信される時、前記端末が、スケジューリング要求（ｓｃｈｅｄｕｌｉｎｇ  ｒｅｑｕｅｓｔ）またはプリアンブルを追加で送信するステップをさらに含み、
前記第２のトランスポートブロックは、前記前記スケジューリング要求または前記プリアンブルを介して前記第１のトランスポートブロックと区別される、請求項１に記載の方法。
【請求項７】
前記端末が、前記基地局から前記第１の参照信号に対する割当情報及び前記第２の参照信号に対する割当情報を受信するステップ、または、
前記端末が、前記第１の参照信号及び前記第２の参照信号を任意に選択するステップをさらに含む、請求項６に記載の方法。
【請求項８】
前記第１のトランスポートブロックの復号が失敗する場合、前記端末が、前記基地局からアップリンクグラント（ｕｐｌｉｎｋ  ｇｒａｎｔ）を受信するステップと、
前記端末が、前記アップリンクグラントに基づいて前記第１のトランスポートブロックを再送信するステップと、をさらに含み、
前記第２のトランスポートブロックが送信され、または前記アップリンクグラントが受信される場合、前記第１のトランスポートブロックは、前記第１のグラントフリーアップリンクリソースを介してそれ以上送信されない、請求項６に記載の方法。
【請求項９】
前記端末が、前記基地局から半静的にスケジューリングされる第２のグラントフリーアップリンクリソースに対する割当情報を受信するステップをさらに含み、
前記第２のトランスポートブロックは、前記第２の参照信号を使用して前記第２のグラントフリーアップリンクリソースを介して送信され、
前記第１のグラントフリーアップリンクリソース及び前記第２のグラントフリーアップリンクリソースは、互いに異なるサブフレームに割り当てられる、請求項６に記載の方法。
【請求項１０】
無線通信システムにおけるアップリンクトランスポートブロック（ｔｒａｎｓｐｏｒｔ  ｂｌｏｃｋ）を送信する端末において、
無線信号を送信または受信するＲＦ部と、
前記ＲＦ部を制御するプロセッサと、を含み、前記プロセッサは、
基地局から半静的（ｓｅｍｉ−ｓｔａｔｉｃ）にスケジューリングされる第１のグラントフリー（ｇｒａｎｔ−ｆｒｅｅ）アップリンクリソースに対する割当情報を受信し、
前記端末が、第１の参照信号を使用して前記第１のグラントフリーアップリンクリソースを介して第１のトランスポートブロックを繰り返し送信し、及び
前記端末が、前記第１のトランスポートブロックの送信が完了する前に第２の参照信号を使用して第２のトランスポートブロックを送信し、
前記第２のトランスポートブロックは、前記第１の参照信号から前記第２の参照信号への変更を介して前記第１のトランスポートブロックと区別され、
前記第２のトランスポートブロックが送信される時、前記第１のトランスポートブロックは、それ以上送信されない、または前記第２のトランスポートブロックと同時に送信される、端末。
【請求項１１】
前記第２のトランスポートブロックは、前記第１のグラントフリーアップリンクリソースを介して送信され、
前記第２の参照信号のシーケンスは、前記第１の参照信号のシーケンスと異なる、請求項１０に記載の端末。
【請求項１２】
前記第１のトランスポートブロックの最初送信時点は、前記基地局により前記第１の参照信号を使用して確認され、
前記繰り返し送信された第１のトランスポートブロックは、前記基地局により結合して復号され、
前記第２のトランスポートブロックの最初送信時点は、前記基地局により前記第２の参照信号を使用して確認され、
前記第２のトランスポートブロックは、前記基地局により前記第１のトランスポートブロックと結合せずに復号される、請求項１０に記載の端末。
【請求項１３】
前記プロセッサは、前記基地局から前記第１の参照信号に対する割当情報及び前記第２の参照信号に対する割当情報を受信し、
前記第１の参照信号に対する割当情報及び前記第２の参照信号に対する割当情報は、ＲＲＣ（Ｒａｄｉｏ  Ｒｅｓｏｕｒｃｅ  Ｃｏｎｔｒｏｌ）シグナリングを介して受信される、請求項１０に記載の端末。
【請求項１４】
前記プロセッサは、前記基地局から半静的にスケジューリングされる第２のグラントフリーアップリンクリソースに対する割当情報を受信し、
前記第１のグラントフリーアップリンクリソースに対する割当情報及び前記第２のグラントフリーアップリンクリソースに対する割当情報は、ＲＲＣシグナリングを介して受信され、
前記第１のグラントフリーアップリンクリソース及び前記第２のグラントフリーアップリンクリソースは、周波数ホッピング（ｆｒｅｑｕｅｎｃｙ  ｈｏｐｐｉｎｇ）され、
前記第１のグラントフリーアップリンクリソースの周期の開始時点及び前記第２のグラントフリーアップリンクリソースの周期の開始時点は、互いに異なり、
前記第２のトランスポートブロックは、前記第２の参照信号を使用して前記第２のグラントフリーアップリンクリソースを介して送信される、請求項１０に記載の端末。
【請求項１５】
前記プロセッサは、前記第２のトランスポートブロックが送信される時、スケジューリング要求（ｓｃｈｅｄｕｌｉｎｇ  ｒｅｑｕｅｓｔ）またはプリアンブルを追加で送信し、
前記第２のトランスポートブロックは、前記前記スケジューリング要求または前記プリアンブルを介して前記第１のトランスポートブロックと区別される、請求項１０に記載の端末。
【請求項１６】
前記プロセッサは、前記基地局から前記第１の参照信号に対する割当情報及び前記第２の参照信号に対する割当情報を受信し、または
前記プロセッサは、前記第１の参照信号及び前記第２の参照信号を任意に選択する、請求項１５に記載の端末。
【請求項１７】
前記プロセッサは、前記第１のトランスポートブロックの復号が失敗する場合、前記基地局からアップリンクグラント（ｕｐｌｉｎｋ  ｇｒａｎｔ）を受信し、及び
前記プロセッサは、前記アップリンクグラントに基づいて前記第１のトランスポートブロックを再送信し、
前記第２のトランスポートブロックが送信され、または前記アップリンクグラントが受信される場合、前記第１のトランスポートブロックは、前記第１のグラントフリーアップリンクリソースを介してそれ以上送信されない、請求項１５に記載の端末。
【請求項１８】
前記プロセッサは、前記基地局から半静的にスケジューリングされる第２のグラントフリーアップリンクリソースに対する割当情報を受信し、
前記第２のトランスポートブロックは、前記第２の参照信号を使用して前記第２のグラントフリーアップリンクリソースを介して送信され、
前記第１のグラントフリーアップリンクリソース及び前記第２のグラントフリーアップリンクリソースは、互いに異なるサブフレームに割り当てられる、請求項１５に記載の端末。
【発明の詳細な説明】
【技術分野】
【０００１】
本発明は、無線通信に関し、より詳しくは、無線通信システムにおけるグラントフリーベースのアップリンクデータを送信する方法及びこれを使用した機器に関する。
【背景技術】
【０００２】
無線通信システムは、音声やデータなどのような多様な種類の通信サービスを提供するために広範囲に展開している。無線通信システムの目的は、多数の端末が位置と移動性に関係なく信頼できる（ｒｅｌｉａｂｌｅ）通信が可能にすることにある。
【０００３】
次世代移動通信システムの要求条件は、大いに、爆発的なデータトラフィックの収容、ユーザ当たり送信率の画期的な増加、大幅増加された連結デバイス個数の収容、非常に低い端対端遅延（Ｅｎｄ−ｔｏ−Ｅｎｄ  Ｌａｔｅｎｃｙ）、高エネルギ効率がサポート可能でなければならない。そのために、二重接続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）サポート、端末ネットワーキング（Ｄｅｖｉｃｅ  Ｎｅｔｗｏｒｋｉｎｇ）等、多様な技術が研究されている。
【０００４】
基地局は、スケジューリングを介してセル内の端末毎に無線リソースを適切に割り当てる。端末は、割当を受けた無線リソースを利用して基地局に制御情報を送信し、またはユーザデータを送信することができる。しかし、制御情報転送方式とユーザデータ送信方式は異なることがある。また、制御情報のための無線リソース割当方式とユーザデータのための無線リソース割当方式も異なることがある。したがって、制御情報のための無線リソースとユーザデータのための無線リソースは互いに異なることがある。基地局は、制御情報のために予約された無線リソースとユーザデータのために予約された無線リソースとを区分して管理できる。
【０００５】
移動通信システムではリソース活用を最大化するために基地局スケジューリングベースのリソース割当過程を介してデータを送受信し、これは端末のアップリンクデータ送信の遅延（ｌａｔｅｎｃｙ）を増加させる原因となることができる。したがって、端末の遅延を最小化するための多重レベルスケジューリング要求を実行する方法が提案される。
【発明の概要】
【発明が解決しようとする課題】
【０００６】
本明細書は、無線通信システムにおけるグラントフリーベースのアップリンクデータを送信する方法及び装置を提供する。
【課題を解決するための手段】
【０００７】
本明細書は、無線通信システムにおけるグラントフリーベースのアップリンクデータを送信する方法及び装置を提案する。
【０００８】
前記装置は、無線信号を送信及び受信するＲＦ（ｒａｄｉｏ  ｆｒｅｑｕｅｎｃｙ）部及び前記ＲＦ部に連結されるプロセッサを含む。
【０００９】
本実施例は、端末が事前にスケジューリングされたｇｒａｎｔ−ｆｒｅｅ  ＵＬリソースを介してアップリンクトランスポートブロックを繰り返し送信する場合を仮定する。このとき、基地局が、繰り返し送信されたトランスポートブロックを結合して復号するためにはトランスポートブロックの最初送信時点を知らなければならない。本実施例は、端末が基地局にトランスポートブロックの最初送信時点を知らせる多様な実施例を含む。
【００１０】
Ｇｒａｎｔ−ｆｒｅｅ  ＵＬ送信は、アップリンクグラント無しでアップリンクデータを送信する方式に対応できる。したがって、アップリンクグラントベースのアップリンク送信方式よりは速くデータを送信することができるとう長所がある。また、Ｇｒａｎｔ−ｆｒｅｅ  ＵＬリソースは、端末共通リソースであって、互いに異なる端末が同じリソースで同時に信号を送信して衝突現象が発生できる。しかし、本実施例では一つの端末が信号を送信する場合を仮定する。
【００１１】
まず、端末は、基地局から半静的（ｓｅｍｉ−ｓｔａｔｉｃ）にスケジューリングされる第１のグラントフリー（ｇｒａｎｔ−ｆｒｅｅ）アップリンクリソースに対する割当情報を受信する。このとき、端末は、一つのグラントフリーアップリンクリソースの割当を受けた場合を仮定することができる。
【００１２】
端末は、第１の参照信号を使用して前記第１のグラントフリーアップリンクリソースを介して第１のトランスポートブロックを繰り返し送信する。
【００１３】
端末は、前記第１のトランスポートブロックの送信が完了する前に第２の参照信号を使用して第２のトランスポートブロックを送信する。端末は、前記第１のトランスポートブロックの送信が完了する前に第２のトランスポートブロックを送信することができるため、第１のトランスポートブロックを繰り返し送信して第１のトランスポートブロックに対する応答信号（ＡＣＫ／ＮＡＣＫ信号）を受信するために待機する時間にも、第２のトランスポートブロックを送信することができる。このとき、第１の参照信号及び第２の参照信号は、ＤＭＲＳ（ＤｅＭｏｄｕｌａｔｉｏｎ  Ｒｅｆｅｒｅｎｃｅ  Ｓｉｇｎａｌ）に対応できる。
【００１４】
前記第２のトランスポートブロックは、前記第１のグラントフリーアップリンクリソースを介して送信されることができる。前記第２の参照信号のシーケンスは、前記第１の参照信号のシーケンスと異なることがある。したがって、前記第２のトランスポートブロックは、前記第１の参照信号から前記第２の参照信号への変更を介して前記第１のトランスポートブロックと区別される。即ち、端末は、第１のトランスポートブロックと異なる第２のトランスポートブロックが送信されることを基地局に知らせるために第１のグラントフリーアップリンクリソース内で第１の参照信号（第１の参照信号のシーケンス）を第２の参照信号（第２の参照信号のシーケンス）に変更できる。
【００１５】
また、前記第２のトランスポートブロックが送信される時、前記第１のトランスポートブロックは、それ以上送信されない、または前記第２のトランスポートブロックと同時に送信されることができる。第１のトランスポートブロックと第２のトランスポートブロックは、互いに異なる参照信号を使用するため、同じリソースを介して同時に送信されることができる。
【００１６】
また、端末は、前記基地局から前記第１の参照信号に対する割当情報及び前記第２の参照信号に対する割当情報を受信することができる。前記第１の参照信号に対する割当情報及び前記第２の参照信号に対する割当情報は、ＲＲＣ（Ｒａｄｉｏ  Ｒｅｓｏｕｒｃｅ  Ｃｏｎｔｒｏｌ）シグナリングを介して受信されることができる。前記割当情報は、新しいトランスポートブロックが送信される時、参照信号がどのように変化されるかに対する規則を含むことができる。
【００１７】
また、端末は、基地局から半静的にスケジューリングされる第２のグラントフリーアップリンクリソースに対する割当情報を受信することができる。このとき、端末は、複数のグラントフリーアップリンクリソースの割当を受けた場合を仮定することができる。
【００１８】
前記第１のグラントフリーアップリンクリソースに対する割当情報及び前記第２のグラントフリーアップリンクリソースに対する割当情報は、ＲＲＣシグナリングを介して受信されることができる。
【００１９】
前記第１のグラントフリーアップリンクリソース及び前記第２のグラントフリーアップリンクリソースの各々は、周期的に割り当てられ、周波数ホッピング（ｆｒｅｑｕｅｎｃｙ  ｈｏｐｐｉｎｇ）されることができる。前記第１のグラントフリーアップリンクリソースの周期の開始時点及び前記第２のグラントフリーアップリンクリソースの周期の開始時点は、互いに異なることがある。このとき、前記第２のトランスポートブロックは、前記第２の参照信号を使用して前記第２のグラントフリーアップリンクリソースを介して送信されることができる。
【００２０】
他の実施例として、前記第２のトランスポートブロックが送信される時、端末は、スケジューリング要求（ｓｃｈｅｄｕｌｉｎｇ  ｒｅｑｕｅｓｔ）またはプリアンブルを追加で送信することができる。このとき、前記第２のトランスポートブロックは、前記前記スケジューリング要求または前記プリアンブルを介して前記第１のトランスポートブロックと区別されることができる。
【００２１】
端末は、前記基地局から前記第１の参照信号に対する割当情報及び前記第２の参照信号に対する割当情報を受信することができる。この場合、端末は、前記第１の参照信号及び前記第２の参照信号を任意に選択することもできる。
【００２２】
前記第１のトランスポートブロックの復号が失敗する場合、端末は、前記基地局からアップリンクグラント（ｕｐｌｉｎｋ  ｇｒａｎｔ）を受信することができる。端末は、前記アップリンクグラントに基づいて前記第１のトランスポートブロックを再送信することができる。前記第２のトランスポートブロックが送信され、または前記アップリンクグラントが受信される場合、前記第１のトランスポートブロックは、前記第１のグラントフリーアップリンクリソースを介してそれ以上送信されない。即ち、第１のトランスポートブロックは、前記第１のグラントフリーアップリンクリソースを介して初期送信または繰り返し送信されることができた。しかし、端末が再送信のためのアップリンクグラントを受信すると、端末は、アップリンクグラントでスケジューリングされたリソースを介して第１のトランスポートブロックを再送信し、または繰り返し送信できる。
【００２３】
また、端末は、前記基地局から半静的にスケジューリングされる第２のグラントフリーアップリンクリソースに対する割当情報を受信することができる。前記第２のトランスポートブロックは、前記第２の参照信号を使用して前記第２のグラントフリーアップリンクリソースを介して送信されることができる。前記第１のグラントフリーアップリンクリソース及び前記第２のグラントフリーアップリンクリソースは、互いに異なるサブフレームに割り当てられることができる。前記第１のグラントフリーアップリンクリソース及び前記第２のグラントフリーアップリンクリソースが互いに同じサブフレームに割り当てられると、端末が第１のトランスポートブロックと第２のトランスポートブロックを送信する時に使用することができる最大電力が制限されるためである。
【００２４】
下記では、端末が基地局に第１のトランスポートブロック及び第２のトランスポートブロックの最初送信時点を知らせた以後に基地局での動作を説明する。
【００２５】
具体的に、前記第１のトランスポートブロックの最初送信時点は、前記基地局により前記第１の参照信号を使用して確認されることができる。前記第２のトランスポートブロックの最初送信時点は、前記基地局により前記第２の参照信号を使用して確認されることができる。基地局は、参照信号が第１の参照信号から第２の参照信号へ変化されたことを介して新しいトランスポートブロックが受信されたことを把握することができる。
【００２６】
それによって、前記繰り返し送信された第１のトランスポートブロックは、前記基地局により結合して復号されることができる。基地局は、復号を実行するために繰り返し送信された第１のトランスポートブロックを全て結合しなければならない。前記第２のトランスポートブロックは、前記基地局により前記第１のトランスポートブロックと結合せずに復号される。基地局が第２の参照信号を介して第１のトランスポートブロックと第２のトランスポートブロックを区別することができるため、第２のトランスポートブロックは、第１のトランスポートブロックと別途に復号されることができる。
【発明の効果】
【００２７】
提案する技法を利用すると、端末がｇｒａｎｔベースのリソースとｇｒａｎｔ−ｆｒｅｅリソースを利用したアップリンク送信を選択的に実行することによって送信信号の信頼度を高めることができる。また、基地局に繰り返し送信の開始時点を知らせることによって、基地局の複雑度を低くしてアップリンク信号の結合利得を得ることができるようにするという長所がある。
【図面の簡単な説明】
【００２８】
【図１】本明細書が適用される無線通信システムを示す。
【図２】ユーザ平面に対する無線プロトコル構造を示すブロック図である。
【図３】制御平面に対する無線プロトコル構造を示すブロック図である。
【図４】動的無線リソース割当方式を説明するための図面である。
【図５】半静的スケジューリング方式を説明するための図面である。
【図６】ｓｅｌｆ−ｃｏｎｔａｉｎｅｄサブフレーム構造を示す。
【図７】ＵＲＬＬＣデータとｅＭＢＢデータが同じセルの同じ周波数リソースで多重化されて送信される場合、リソース活用の一例を示す。
【図８】本明細書の実施例によってｇｒａｎｔ−ｆｒｅｅ  ＵＬリソースの割当を受けた端末がＵＬ  ｇｒａｎｔを受信する一例を示す。
【図９】本明細書の実施例に係るｇｒａｎｔ−ｆｒｅｅ  ＵＬリソースを介してアップリンクトランスポートブロックを送信する手順を示す。
【図１０】本明細書の実施例が具現される機器を示すブロック図である。
【発明を実施するための形態】
【００２９】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。
【００３０】
説明を明確にするために、３ＧＰＰ  ＬＴＥ／ＬＴＥ−Ａを中心に記述するが、本発明の技術的思想がこれに制限されるものではない。
【００３１】
図１は、本発明が適用される無線通信システムを示す。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれる。
【００３２】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０とを含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００３３】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００３４】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末のアクセス情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００３５】
端末と基地局との間の無線インターフェースをＵｕインターフェースという。端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、このうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。そのために、ＲＲＣ階層は、端末と基地局との間にＲＲＣメッセージを交換する。
【００３６】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。ユーザ平面は、ユーザデータ送信のためのプロトコルスタック（ｐｒｏｔｏｃｏｌ  ｓｔａｃｋ）であり、制御平面は、制御信号送信のためのプロトコルスタックである。
【００３７】
図２及び図３を参照すると、物理階層（ＰＨＹ（ｐｈｙｓｉｃａｌ）ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴に送信されるかによって分類される。
【００３８】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００３９】
ＭＡＣ階層の機能は、論理チャネルとトランスポートチャネルとの間のマッピング及び論理チャネルに属するＭＡＣ  ＳＤＵ（ｓｅｒｖｉｃｅ  ｄａｔａ  ｕｎｉｔ）のトランスポートチャネル上に物理チャネルで提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００４０】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００４１】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００４２】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、ＲＢの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。
【００４３】
ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。ＲＢが設定されるとは、特定サービスを提供するために、無線プロトコル階層及びチャネルの特性を規定し、各々の具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられる。ＳＲＢは、制御平面でＲＲＣメッセージを送信する通路として使われ、ＤＲＢは、ユーザ平面でユーザデータを送信する通路として使われる。
【００４４】
端末のＲＲＣ階層とＥ−ＵＴＲＡＮのＲＲＣ階層との間にＲＲＣ接続（ＲＲＣ  Ｃｏｎｎｅｃｔｉｏｎ）がある場合、端末は、ＲＲＣ接続状態（ＲＲＣ  ｃｏｎｎｅｃｔｅｄ  ｓｔａｔｅ）になり、そうでない場合、ＲＲＣアイドル状態（ＲＲＣ  ｉｄｌｅ  ｓｔａｔｅ）になる。
【００４５】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別途のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルには、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００４６】
トランスポートチャネルの上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  トラフィック  Ｃｈａｎｎｅｌ）などがある。
【００４７】
以下、半静的スケジューリング（Ｓｅｍｉ−Ｓｔａｔｉｃ  Ｓｃｈｅｄｕｌｉｎｇ）または半永続的スケジューリング（Ｓｅｍｉ−Ｐｅｒｓｉｓｔｅｎｔ  Ｓｃｈｅｄｕｌｉｎｇ）に対して説明する。以下では半静的スケジューリングという用語として統一して説明する。
【００４８】
次世代無線通信システムでは、多数端末のために半静的スケジューリングが必要である。次世代無線通信システムでは、多様な産業のＩｏＴ（Ｉｎｔｅｒｎｅｔ  ｏｆ  Ｔｈｉｎｇｓ）サービスが導入されることが予想される。代表的なサービスでは自動車とドローンなどがあり、それらのサービスでは自律走行管理及び事故予防のために位置情報が１００ｍｓから１秒単位でアップデートされることが予想される。周期的に位置情報がアップデートされる場合は、不必要な制御チャネルのオーバーヘッドを減少させることができるようにＳＰＳを適用することが一般的である。
【００４９】
図４は、動的（または、ダイナミック）無線リソース割当方式を説明するための図面である。図５は、半静的スケジューリング方式を説明するための図面である。
【００５０】
一般的に、端末が基地局にデータを送信する過程（動的無線リソース割当方式）を図４を参照すると、次の通りである。まず、端末は、生成されたデータの送信のために必要な無線リソースを基地局に要求できる（Ｓ４０１）。それによって、基地局は、端末の無線リソース要求によって制御信号を介して無線リソースを割り当てることができる（Ｓ４０２）。ＬＴＥシステムにおいて、端末のアップリンクデータ送信のための基地局のリソース割当は、ＰＤＣＣＨを介して送信されるアップリンクグラント（ＵＬ  ｇｒａｎｔ）形態で送信されることができる。それによって、端末は、割当を受けた無線リソースを介して基地局にデータを送信することができる（Ｓ４０３）。このような端末の無線リソース要求、基地局のリソース割当及びこれに対応する端末のアップリンクデータ送信は、必要な場合に繰り返しされることができる（Ｓ４０８−Ｓ４１０）。
【００５１】
一方、基地局が端末にダウンリンクデータを送信する場合は、ＰＤＣＣＨを介して端末にダウンリンク割当（ＤＬ  Ａｓｓｉｇｎｍｅｎｔ）を送信することで端末に送信されたデータがどの無線リソースを介して送信されるかを知らせることができ（Ｓ４０４）、このようなダウンリンク割当メッセージに対応する無線リソースを介して、基地局は、端末にデータを送信することができる（Ｓ４０５）。このとき、ダウンリンク割当情報転送とこれに対応する無線リソースを介したダウンリンクデータ送信は、同じＴＴＩ（Ｔｒａｎｓｍｉｓｓｉｏｎ  Ｔｉｍｅ  Ｉｎｔｅｒｖａｌ）内に行われる。また、図４に示すように、このようなダウンリンクデータ送信過程は、繰り返しされることができる。
【００５２】
半静的スケジューリング技法は、基地局にデータを送信する３ステップ（（１）端末のリソース要求、（２）基地局のリソース割当、（３）リソース割当による端末のデータ送信）で１番目と２番目のステップを省略する方式である。それによって、端末は、このような無線リソースの設定によって前記説明した１番目と２番目のステップである無線リソースの要求ステップ及び無線リソースの割当ステップ無しでデータを送信する過程を実行することができる。図５は、このような半静的スケジューリング方式を概念的に示している。即ち、半静的スケジューリング方法では、基地局がＰＤＣＣＨを介して無線リソース割当情報を毎度送信する必要がない。
【００５３】
以下、３ＧＰＰ  ５Ｇ（Ｎｅｗ  ＲＡＴ）と関連した技術を説明する。
【００５４】
より多くの通信機器がより大きい通信容量を要求するにつれて、既存のＲＡＴ（ｒａｄｉｏ  ａｃｃｅｓｓ  ｔｅｃｈｎｏｌｏｇｙ）に比べて向上したモバイルブロードバンド（ｍｏｂｉｌｅ  ｂｒｏａｄｂａｎｄ）通信に対する必要性が台頭されている。また、多数の機器及びモノを連結していつでもどこでも多様なサービスを提供するｍａｓｓｉｖｅ  ＭＴＣ（Ｍａｃｈｉｎｅ  Ｔｙｐｅ  Ｃｏｍｍｕｎｉｃａｔｉｏｎｓ）も次世代通信で考慮される主要案件のうち一つである。それだけでなく、信頼度（ｒｅｌｉａｂｉｌｉｔｙ）及び遅延（ｌａｔｅｎｃｙ）に敏感なサービス／端末を考慮した通信システムデザインが論議されている。このようにｅＭＢＢ（ｅｎｈａｎｃｅｄ  ｍｏｂｉｌｅ  ｂｒｏａｄｂａｎｄ  ｃｏｍｍｕｎｉｃａｔｉｏｎ）、ｍＭＴＣ（ｍａｓｓｉｖｅ  ＭＴＣ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が論議されており、本明細書では、便宜上、該当技術をｎｅｗ  ＲＡＴと呼ぶ。
【００５５】
以下、説明の便宜のために、ｎｅｗ  ＲＡＴシステムに基づいて提案方式を説明する。しかし、提案方式が適用されるシステムの範囲は、ｎｅｗ  ＲＡＴシステム外に３ＧＰＰ  ＬＴＥ／ＬＴＥ−Ａシステムなど、他のシステムにも拡張可能である。
【００５６】
Ｎｅｗ  ＲＡＴシステムは、ＯＦＤＭ送信方式またはこれと類似する送信方式を使用し、代表的として表１のＯＦＤＭヌメロロジー（ｎｕｍｅｒｏｌｏｇｙ）を有することができる。または、既存のＬＴＥ／ＬＴＥ−Ａのヌメロロジーをそのまま適用する一方、より大きいシステム帯域幅（例えば、１００ＭＨｚ）を有することができる。または、一つのセルは、複数個のヌメロロジーをサポートすることができる。即ち、互いに異なるヌメロロジーで動作する端末が一つのセル内で共存できる。以下の表１は、ｎｅｗ  ＲＡＴシステムのＯＦＤＭパラメータである。
【００５７】
【表１】
0006894519.tif 000002
【００５８】
以下、ｓｅｌｆ−ｃｏｎｔａｉｎｅｄサブフレーム構造を説明する。
【００５９】
図６は、ｓｅｌｆ−ｃｏｎｔａｉｎｅｄサブフレーム構造を示す。
【００６０】
ＴＤＤシステムにおいて、データ送信遅延を最小化するために、ｎｅｗ  ＲＡＴでは図６のようなｓｅｌｆ−ｃｏｎｔａｉｎｅｄサブフレーム構造を考慮している。
【００６１】
図６において、ｓｅｌｆ−ｃｏｎｔａｉｎｅｄサブフレームの前にある領域６１０は、ＤＣＩ（Ｄｏｗｎｌｉｎｋ  Ｃｏｎｔｒｏｌ  Ｉｎｆｏｒｍａｔｉｏｎ）伝達のための物理チャネルＰＤＣＣＨの送信領域を示す。ｓｅｌｆ−ｃｏｎｔａｉｎｅｄサブフレームの後にある領域６２０は、ＵＣＩ（Ｕｐｌｉｎｋ  Ｃｏｎｔｒｏｌ  Ｉｎｆｏｒｍａｔｉｏｎ）伝達のための物理チャネルＰＵＣＣＨの送信領域を示す。ここで、ＤＣＩを介してｅＮＢがＵＥに伝達する制御情報として、端末が知っているべきセル構成（ｃｅｌｌ  ｃｏｎｆｉｇｕｒａｔｉｏｎ）に対する情報、ＤＬスケジューリングなどのＤＬ特定情報、そして、ＵＬ  ｇｒａｎｔなどのようなＵＬ特定情報などを含む。また、ＵＣＩを介してＵＥがｅＮＢに伝達する制御情報として、ＤＬデータに対するＨＡＲＱのＡＣＫ／ＮＡＣＫ報告、ＤＬチャネル状態に対するＣＳＩ報告、そして、ＳＲ（Ｓｃｈｅｄｕｌｉｎｇ  Ｒｅｑｕｅｓｔ）などを含む。
【００６２】
図６において、ｓｅｌｆ−ｃｏｎｔａｉｎｅｄサブフレームの中央にある領域６３０は、ダウンリンクデータ送信のために物理チャネルＰＤＳＣＨが使われることもでき、アップリンクデータ送信のために物理チャネルＰＵＳＣＨが使われることもできる。このような構造の特徴は、一個のサブフレーム内でＤＬ送信とＵＬ送信が順次進行され、サブフレーム内でＤＬデータを送り、ＵＬ  ＡＣＫ／ＮＡＣＫも受けることができる。結果的に、データ送信エラー発生時にデータ再送信までかかる時間を減らすようになって、それによって、最終データ伝達の遅延を最小化することができる。
【００６３】
このようなｓｅｌｆ−ｃｏｎｔａｉｎｅｄサブフレーム構造で、基地局とＵＥが、送信モードから受信モードに転換する過程または受信モードから送信モードに転換する過程のための時間差（ｔｉｍｅ  ｇａｐ）が必要である。そのために、ｓｅｌｆ−ｃｏｎｔａｉｎｅｄサブフレーム構造で、ＤＬからＵＬに転換される時点の一部ＯＦＤＭシンボルがＧＰ（ｇｕａｒｄ  ｐｅｒｉｏｄ）に設定されるようになる。
【００６４】
以下、アナログビームフォーミング（ａｎａｌｏｇ  ｂｅａｍｆｏｒｍｉｎｇ）に対して説明する。
【００６５】
ミリ波（Ｍｉｌｌｉｍｅｔｅｒ  Ｗａｖｅ；ｍｍＷ）では波長が短くなって同じ面積に多数個のアンテナ要素の設置が可能になる。即ち、３０ＧＨｚ帯域における波長は１ｃｍであって、５ｂｙ５ｃｍのパネルに０．５ラムダ（ｌａｍｂｄａ、波長）間隔に２次元配列形態で総１００個のアンテナ要素設置が可能である。したがって、ｍｍＷでは多数個のアンテナ要素を使用してＢＦ（ｂｅａｍｆｏｒｍｉｎｇ）利得を高めてカバレッジを増加させ、またはスルーフット（ｔｈｒｏｕｇｈｐｕｔ）を高めようとする。
【００６６】
この場合、アンテナ要素別に送信パワー及び位相調節が可能にＴＸＲＵ（Ｔｒａｎｓｃｅｉｖｅｒ  Ｕｎｉｔ）を有すると、周波数リソース別に独立的なビームフォーミングが可能である。しかし、１００余個のアンテナ要素の全てにＴＸＲＵを設置するには価格側面で実効性が低下させる問題を有するようになる。したがって、一つのＴＸＲＵに多数個のアンテナ要素をマッピングし、アナログ移相器（ａｎａｌｏｇ  ｐｈａｓｅ  ｓｈｉｆｔｅｒ）でビームの方向を調節する方式が考慮されている。このようなアナログビームフォーミング方式は、全帯域において一つのビーム方向のみを作ることができて周波数選択的ビームフォーミングをすることができないという短所を有する。
【００６７】
デジタルＢＦとアナログＢＦの中間形態でＱ個のアンテナ要素より少ない個数であるＢ個のＴＸＲＵを有するハイブリッドＢＦを考慮することができる。この場合、Ｂ個のＴＸＲＵとＱ個のアンテナ要素の連結方式によって異なるが、同時に送信できるビームの方向は、Ｂ個以下に制限されるようになる。
【００６８】
本明細書では、説明の便宜のために、ダウンリンクデータが送信されるチャネルをＰＤＳＣＨと命名し、アップリンクデータが送信されるチャネルをＰＵＳＣＨと命名する。本明細書では、説明の便宜のために、ダウンリンク環境（ＰＤＳＣＨの送信）を中心に発明の内容を記述するが、本明細書の内容がアップリンク環境（ＰＵＳＣＨの送信）にも適用されることができることは自明である。
【００６９】
図７は、ＵＲＬＬＣデータとｅＭＢＢデータが同じセルの同じ周波数リソースで多重化されて送信される場合、リソース活用の一例を示す。
【００７０】
このとき、遅延が重要なデータ（例えば、ＵＲＬＬＣデータ）と相対的に遅延の重要度が足りないデータ（例えば、ｅＭＢＢデータ）が同じセルの同じ周波数リソースで多重化（ｍｕｌｔｉｐｌｅｘｉｎｇ）されて送信されることができる場合、二つのデータの送信リソースが衝突する場合が発生できる。このとき、一般的に遅延（ｌａｔｅｎｃｙ）が重要なデータの送信が優先されるため、図７のように遅延が重要なデータ（ＰＤＳＣＨ２）が遅延の重要度が足りないデータ（ＰＤＳＣＨ１）リソースをパンクチャリング（ｐｕｎｃｔｕｒｉｎｇ）することで送信されることができる。この場合、一般的に遅延の重要度が足りないデータ（ＰＤＳＣＨ１）は、遅延がもっと重要なデータ（ＰＤＳＣＨ２）に比べて長いＴＴＩ長さで送信され、したがって、一般的に遅延の重要度が足りないデータ（ＰＤＳＣＨ１）の一部ＯＦＤＭシンボル領域が、遅延がもっと重要なデータ（ＰＤＳＣＨ２）の送信のためにパンクチャリングされるようになる。
【００７１】
この場合、一部リソース領域がパンクチャリングされたデータは、該当リソースで干渉を経験して大きい性能低下が発生するようになる。したがって、他のデータの送信のためにパンクチャリングされたデータの送信を受信性能を向上させるための方案が要求される。
【００７２】
以下、Ｇｒａｎｔ−ｆｒｅｅ  ＵＬ送信に対して説明する。
【００７３】
Ｇｒａｎｔ−ｆｒｅｅ  ＵＬ送信技法は、端末が事前にスケジューリングされた端末共通リソースでアップリンクデータを送信する技法である。端末が事前にスケジューリングされたリソースでアップリンクデータを送信するため、ＵＬ  ｇｒａｎｔ受信後に信号を送信するトリガリングされたＳＲ（ＳＲ−ｔｒｉｇｇｅｒｅｄ）ＵＬ送信技法より速くデータを送信することができるという長所がある。しかし、端末共通リソースで信号を送信するため、互いに異なる端末が同じリソースで信号を送信する衝突（ｃｏｎｔｅｎｔｉｏｎ）現象が発生できるという短所がある。
【００７４】
また、Ｇｒａｎｔ−ｆｒｅｅ  ＵＬリソースは、再割り当てられる必要がある。Ｇｒａｎｔ−ｆｒｅｅ  ＵＬリソースは、端末データが発生する前に必要なリソースを予測して基地局が端末にリソースを割り当てる特徴を有する。もし、基地局がＧｒａｎｔ−ｆｒｅｅ  ＵＬリソースを必要より多く割り当てる場合、衝突確率は減少するが、リソースが浪費されるという短所がある。それに対し、Ｇｒａｎｔ−ｆｒｅｅ  ＵＬリソースを必要より少なく割り当てる場合、リソース消耗は減少するが、衝突確率が増加して目標信頼度を満たすことができなくなる。したがって、端末数、端末トラフィック特性、チャネル状態などを考慮してＧｒａｎｔ−ｆｒｅｅ  ＵＬリソースを調整することが必要である。目標信頼度を満たすためにＧｒａｎｔ−ｆｒｅｅ  ＵＬリソースを割り当てる時に考慮すべき要素では下記のようなものがある。
【００７５】
１）信号衝突確率−Ｇｒａｎｔ−ｆｒｅｅ  ＵＬリソースで信号が衝突する確率は、端末の数と端末が発生させたトラフィックの量によって決定される。端末の数は、基地局が把握できるが、各端末が発生させるトラフィックを正確に予測しにくい。端末のトラフィック発生は、トラフィックの統計的特徴を利用することが一般的である。また、統計的予測の限界を克服するために衝突発生確率が高まる場合は、Ｇｒａｎｔ−ｆｒｅｅ  ＵＬリソースの量を増加させ、衝突発生確率が低まる場合は、Ｇｒａｎｔ−ｆｒｅｅ  ＵＬリソースの量を減少させる技法を利用することができる。
【００７６】
２）データ大きさ増加−データサイズが予想より増加すると、既に割り当てられたＧｒａｎｔ−ｆｒｅｅ  ＵＬリソースで信号送信時に適用できるコード率（ｃｏｄｅ  ｒａｔｅ）とシンボル変調順序（ｓｙｍｂｏｌ  ｍｏｄｕｌａｔｉｏｎ  ｏｒｄｅｒ）が増加する。それによって、Ｇｒａｎｔ−ｆｒｅｅ  ＵＬ送信の受信成功確率が減少するようになるため、これを克服するための技法が必要である。
【００７７】
３）ダイナミック（Ｄｙｎａｍｉｃ）ＴＤＤ−ＮＲでは、サブフレーム毎にＤＬとＵＬを選択することができるダイナミックＴＤＤ技法が導入されることが予想される。Ｇｒａｎｔ−ｆｒｅｅ  ＵＬ送信リソースが半静的（ｓｅｍｉ−ｓｔａｔｉｃ）であり、且つ周期的にスケジューリングされた場合を仮定すると、ｇｒａｎｔ−ｆｒｅｅ  ＵＬリソースが、既に割り当てられたサブフレームがダイナミックＴＤＤではＤＬサブフレームに変更されてｇｒａｎｔ−ｆｒｅｅ  ＵＬリソースが省略される現象が発生する。周期的なｇｒａｎｔ−ｆｒｅｅ  ＵＬリソースのうち一部が省略されると、それによって、ＵＬデータ送信時に追加遅延が発生し、端末待機時間が長くなるため、以後ｇｒａｎｔ−ｆｒｅｅ  ＵＬ送信時にデータ衝突確率が増加する。したがって、これを解決するための技法が必要である。
【００７８】
４）チャネル変化−端末と基地局との間のアップリンクチャネルが劣化された場合、これを考慮してＧｒａｎｔ−ｆｒｅｅ  ＵＬリソースの量を増加させることが必要である。基地局が、アップリンクチャネルを推定するために端末にアップリンク参照信号（例えば、ＳＲＳ）を送信するように要求できる。
【００７９】
現在３ＧＰＰ  ＮＲ（Ｎｅｗ  ＲＡＴ）スタディアイテム（Ｓｔｕｄｙ  Ｉｔｅｍ）ではｇｒａｎｔ−ｆｒｅｅ  ＵＬ送信に対する議論が行われている。Ｇｒａｎｔ−ｆｒｅｅ送信は、半永続的（ｓｅｍｉ−ｐｅｒｓｉｓｔｅｎｔ）にスケジューリングされたアップリンクリソースで送信を実行することを意味する。Ｇｒａｎｔ−ｆｒｅｅ送信は、互いに異なる端末が同じ時間−周波数リソースを共有するコンテンションベースの（ｃｏｎｔｅｎｔｉｏｎ−ｂａｓｅｄ）送信と専用リソースを利用した送信とに分けられる。既存ＬＴＥでは専用リソースを利用したｇｒａｎｔ−ｆｒｅｅ送信のみをサポートしたが、ＮＲではコンテンションベースのｇｒａｎｔ−ｆｒｅｅ  ＵＬ送信も導入されることが予想される。即ち、多数の端末がコンテンションベースのｇｒａｎｔ−ｆｒｅｅリソースでアップリンクデータを送信することができる。
【００８０】
ＮＲにコンテンションベースのｇｒａｎｔ−ｆｒｅｅ  ＵＬ送信が導入されるにつれて、コンテンションベースのｇｒａｎｔ−ｆｒｅｅリソースの割当を受けた端末が追加でＵＬ  ｇｒａｎｔを受信した場合の動作を定義する必要性が提起された。また、ＵＬ送信の繰り返しが実行されるにつれて、端末は、複数のコンテンションベースのｇｒａｎｔ−ｆｒｅｅ  ＵＬリソースの割当を受けることができ、また、このように専用ｇｒａｎｔ−ｆｒｅｅ  ＵＬリソースも割当を受けることができる。したがって、多様な状況を考慮してＵＬ  ｇｒａｎｔ受信時の端末動作を開発する必要性がある。
【００８１】
本明細書で使われるサブフレームは、スロットまたはミニスロットに代替されることができる。本明細書の内容は一つの実施例に過ぎず、類似動作を利用する他の実施例にも適用が可能である。
【００８２】
１．ｇｒａｎｔベースのＵＬ送信とｇｒａｎｔ−ｆｒｅｅ  ＵＬ送信との間のスイッチング（ｓｗｉｔｃｈｉｎｇ）方法
【００８３】
第１の実施例として、端末がｇｒａｎｔ−ｆｒｅｅ  ＵＬリソースを半永続的（ｓｅｍｉ−ｓｔａｔｉｃ）に割当を受けた状態でＵＬ  ｇｒａｎｔを受信すると、端末は、ＵＬ  ｇｒａｎｔでスケジューリングされたリソースでＴＢ（ｔｒａｎｓｐｏｒｔ  ｂｌｏｃｋ）を送信し、且つコンテンションベースのｇｒａｎｔ−ｆｒｅｅ  ＵＬリソースではＴＢを一時的に送信しない。端末がＵＬ  ｇｒａｎｔを受信しない場合はｇｒａｎｔ−ｆｒｅｅ  ＵＬリソースでアップリンク送信を実行する。
【００８４】
Ｇｒａｎｔ−ｆｒｅｅ  ＵＬリソースの衝突発生可否は、基地局が端末にＲＲＣシグナリングのような上位階層シグナリングで伝達できる。または、基地局は、ｇｒａｎｔ−ｆｒｅｅ  ＵＬリソースの割当を受けた端末がＵＬ  ｇｒａｎｔを受けた時の動作をＲＲＣのような上位階層シグナリングで指示できる。
【００８５】
第１の実施例の動作をｇｒａｎｔ−ｆｒｅｅ  ＵＬリソースがコンテンションベースのリソースである場合にのみ適用することもできる。または、第１の実施例の動作を、ＵＬ  ｇｒａｎｔに含まれている第１の臨時識別子がｇｒａｎｔ−ｆｒｅｅ  ＵＬリソースを活性化する時に利用した第２の臨時識別子と同じ場合にのみ適用することもできる。または、ＵＬ  ｇｒａｎｔが再送信のためのＵＬ  ｇｒａｎｔである場合にのみ第１の実施例の動作を実行することができる。基地局は、第１の実施例の動作と臨時識別子による動作の端末実行可否をＲＲＣシグナリングで指示できる。ここで、第１の実施例の動作は、端末がｇｒａｎｔ−ｆｒｅｅ  ＵＬリソースを半永続的に割当を受けた状態でＵＬ  ｇｒａｎｔの受信可否によるアップリンク送信動作に対応できる。臨時識別子による動作は、端末がＵＬ  ｇｒａｎｔを受信し、且つＵＬ  ｇｒａｎｔに含まれている臨時識別子が自分の臨時識別子と同じ場合のアップリンク送信動作に対応できる。
【００８６】
コンテンションベースのｇｒａｎｔ−ｆｒｅｅリソースでは互いに異なる端末が送信した信号間の衝突が発生できる。したがって、端末がｇｒａｎｔベースのアップリンクリソースの割当を受けると、該当リソースで信号を送信することによって衝突を避ける技法を考慮することができる。また、スケジューリングを受けた端末がｇｒａｎｔ−ｆｒｅｅ  ＵＬリソースと異なるリソースでアップリンク信号を送信することによってｇｒａｎｔ−ｆｒｅｅ  ＵＬリソースでの衝突確率が減少する効果がある。また、端末が割当を受けたｇｒａｎｔ−ｆｒｅｅ  ＵＬリソースが一時的に利用されることができない（ｕｎａｖａｉｌａｂｌｅ）場合にも基地局がＵＬ  ｇｒａｎｔを介して臨時リソースを割り当てることができる。一例として、ｇｒａｎｔ−ｆｒｅｅ  ＵＬリソースをｇｒａｎｔベースのＵＬ送信のために先占した場合を考慮することができる。
【００８７】
また、第１の実施例に加えて、端末が受信したＵＬ  ｇｒａｎｔに含まれている端末の第１の臨時識別子（例えば、Ｃ−ＲＮＴＩ）が、コンテンションベースのｇｒａｎｔ−ｆｒｅｅリソースを活性化する時に利用した端末の第３の臨時識別子と同じ場合、第１の実施例の動作を実行する。もし、異なる臨時識別子が含まれているＵＬ  ｇｒａｎｔを受信する場合、端末は、既存のｇｒａｎｔ−ｆｒｅｅリソースとｇｒａｎｔベースのリソースの両方ともでアップリンク送信を実行する。
【００８８】
端末が多数個の臨時識別子の割当を受けた場合、各臨時識別子は、互いに異なるサービス（または、ベアラ）にマッピングされることができる。もし、ＵＬ  ｇｒａｎｔがｇｒａｎｔ−ｆｒｅｅリソースで送信中であるサービスとは異なるサービスのアップリンク送信のために送信されたものである場合、端末が、前記ＵＬ  ｇｒａｎｔがスケジューリングするｇｒａｎｔベースのリソースでｇｒａｎｔ−ｆｒｅｅ送信用ＴＢを送信することは適しない。
【００８９】
第１の実施例に加えて、端末は、ＵＬ  ｇｒａｎｔを受信したサブフレーム（または、スロットまたはミニスロット）以後ｎ番目のサブフレームに割り当てられたｇｒａｎｔ−ｆｒｅｅ  ＵＬリソースでＴＢを送信せずに、前記ＴＢをＵＬ  ｇｒａｎｔでスケジューリングされたリソースで送信する。ここで、ｎは、０より大きい整数である。一例として、ｓｅｌｆ−ｃｏｎｔａｉｎｅｄフレーム構造が適用されてＵＬ  ｇｒａｎｔを受信したサブフレームでアップリンクデータ送信が直接可能な場合にｎ＝０になることができる。
【００９０】
一般的に、ＵＬ  ｇｒａｎｔを受信した後、ｋ番目後のサブフレームで、端末は、アップリンクデータを送信することができる。したがって、ＵＬ  ｇｒａｎｔ受信後、アップリンクデータ送信までの遅延時間を考慮してｇｒａｎｔ−ｆｒｅｅ  ＵＬ送信を実行しない区間を定めることができる。
【００９１】
第２の実施例として、端末が受信したＵＬ  ｇｒａｎｔが再送信のためのものである時、端末は、再送信または繰り返し送信をｇｒａｎｔ−ｆｒｅｅ  ＵＬリソースで実行せずに、ＵＬ  ｇｒａｎｔでスケジューリングされたリソースで送信する。一例として、端末は、ＴＢを最初送信する場合にのみｇｒａｎｔ−ｆｒｅｅ  ＵＬリソースで信号を送信することができる。他の一例として、端末がｇｒａｎｔ−ｆｒｅｅリソースでＵＬ送信をｎ回繰り返すことができる時、ｎ回の繰り返し送信が完了する前に再送信のためのＵＬ  ｇｒａｎｔを受信すると、ｇｒａｎｔ−ｆｒｅｅ  ＵＬリソースでの送信を止め、その後、繰り返し送信は、ＵＬ  ｇｒａｎｔでスケジューリングされたリソースで送信する。
【００９２】
Ｇｒａｎｔ−ｆｒｅｅ  ＵＬリソースでの繰り返し送信は、端末間の信号送信時に衝突確率を増加させるようになる。したがって、端末が再送信のためのＵＬ  ｇｒａｎｔを基地局から受信すると、ＵＬ  ｇｒａｎｔでスケジューリングされたリソースでアップリンクデータを送信することが好ましい。
【００９３】
第３の実施例として、端末がｇｒａｎｔ−ｆｒｅｅ  ＵＬリソースのリリース（ｒｅｌｅａｓｅ）シグナルやストップ（ｓｔｏｐ）シグナルを受信したサブフレーム（または、スロットまたはミニスロット）でＵＬ  ｇｒａｎｔを受信した場合、端末は、ＵＬ  ｇｒａｎｔを利用してＴＢを送信する。それに対し、端末がリリースシグナルやストップシグナルを受信しないサブフレーム（またはスロット、またはミニスロット）でＵＬ  ｇｒａｎｔを受信した場合、端末は、ｇｒａｎｔ−ｆｒｅｅとｇｒａｎｔベースのリソースの両方ともまたはｇｒａｎｔ−ｆｒｅｅとｇｒａｎｔベースのリソースの中から一つを選択してアップリンク送信を実行することができる。
【００９４】
前記動作は、端末が基地局からスケジューリングを受けたリソースの全てで信号が送信できるようにすることによって、アップリンク信号の信頼度を最大化することを目的とする。
【００９５】
図８は、本明細書の実施例によってｇｒａｎｔ−ｆｒｅｅ  ＵＬリソースの割当を受けた端末がＵＬ  ｇｒａｎｔを受信する一例を示す。
【００９６】
図８のように、ＵＲＬＬＣ  ＤＬ送信のためにｇｒａｎｔ−ｆｒｅｅ  ＵＬリソースが存在しないサブフレームで、端末がＳＲを送信することによってｇｒａｎｔ−ｂａｓｅｄ  ＵＬ送信を試みることができる。もし、ｓｅｌｆ−ｃｏｎｔａｉｎｅｄフレーム構造が適用された場合、ＵＬ  ｇｒａｎｔを受信したサブフレームで、端末はアップリンク送信を試みることができるため、端末が事前に割当を受けたｇｒａｎｔ−ｆｒｅｅ  ＵＬリソースとｇｒａｎｔベースのリソースの中から端末が送信するリソースを選択することができる。端末が割当を受けたｇｒａｎｔ−ｆｒｅｅ  ＵＬリソースがコンテンションベースのリソースである場合、端末は、ｇｒａｎｔベースのリソースでは信号の送信を試みることが妥当である。
【００９７】
また、第３の実施例において、端末がｇｒａｎｔ−ｆｒｅｅ  ＵＬリソースとｇｒａｎｔベースのＵＬリソースで同じＴＢを送った場合は、同じＴＢが送信されたことを知らせるための技法が必要である。
【００９８】
端末がｇｒａｎｔ−ｆｒｅｅ  ＵＬリソースとｇｒａｎｔベースのＵＬリソースで送信したＴＢが同じＴＢである場合、これを知らせるためのシグナリングが必要である。一例として、ｇｒａｎｔ−ｆｒｅｅ  ＵＬリソースで端末がＤＭＲＳ１の割当を受けた場合、端末は、ｇｒａｎｔベースのＵＬリソースでもＤＭＲＳ１を利用して同じ信号を送信する。一例として、ｇｒａｎｔ−ｆｒｅｅ  ＵＬリソースで端末が任意にＤＭＲＳ１を選択した場合、ｇｒａｎｔベースのＵＬリソースでもＤＭＲＳ１を利用して同じ信号を送信する。一例として、端末がｇｒａｎｔ−ｆｒｅｅ  ＵＬ送信時に端末識別子を送信するために別途のシグナル（例えば、プリアンブルまたはスケジューリング要求（Ｓｃｈｅｄｕｌｉｎｇ  ｒｅｑｕｅｓｔ））を送信する場合を仮定する。前記別途シグナルとｇｒａｎｔベースのＵＬ送信時に使用するＤＭＲＳ間のマッピング関係を基地局が事前にＲＲＣシグナリングで指定し、またはシステム的に約束できる。前記実施例と逆に、端末がｇｒａｎｔ−ｆｒｅｅ  ＵＬとｇｒａｎｔベースのＵＬで送信するＴＢが異なる場合は、端末は、互いに異なるＤＭＲＳを利用して信号を送信し、または事前に約束されないＤＭＲＳを利用しｇｒａｎｔベースのＵＬリソースで信号を送信する。
【００９９】
Ｇｒａｎｔ−ｆｒｅｅ  ＵＬリソースを多数の端末が共有する場合、各端末に互いに異なるＤＭＲＳを割り当てて各端末のＤＭＲＳの衝突を防止することができる。このとき、チャネル推定の歪曲は発生しないため、ｇｒａｎｔ−ｆｒｅｅ  ＵＬ送信信号とｇｒａｎｔベースのＵＬ送信信号を結合して復号することが好ましい。一般的に、ｇｒａｎｔベースのＵＬリソースは、端末専用（ｄｅｄｉｃａｔｅｄ）リソースであるため、各端末がｇｒａｎｔベースのＵＬリソース内のＤＭＲＳをｇｒａｎｔ−ｆｒｅｅ  ＵＬリソースで自分が割当を受けたＤＭＲＳと同じ値を利用して信号を送信することによって同じＴＢが送信されたことを知らせることができる。このとき、基地局がＵＬ  ｇｒａｎｔを利用して端末に割り当てたＤＭＲＳは、ｇｒａｎｔ−ｆｒｅｅ  ＵＬリソースで送信されるＴＢとｇｒａｎｔベースのＵＬリソースで送信されるＴＢが異なる場合にのみ、利用されるように設定できる。
【０１００】
Ｇｒａｎｔ−ｆｒｅｅ  ＵＬリソースを多数の端末が共有しながら、各端末がＤＭＲＳを任意に選択する場合が存在できる。このとき、端末は、自分の信号送信可否を基地局に知らせるために、スケジューリング要求またはプリアンブルのような追加的な信号を送信することができる。端末が任意にＤＭＲＳを選択するため、互いに異なる端末が同じＤＭＲＳを利用して信号を送信することができる。この場合、チャネル推定が歪曲されてｇｒａｎｔベースのＵＬ信号とｇｒａｎｔ−ｆｒｅｅ  ＵＬ信号を結合しないことが好ましい。結合可否は、基地局が決定できる。一例として、基地局が互いに異なる端末からＵＬ送信を意味するシグナリングを受信したが、ＤＭＲＳが一つのみが検出された場合に衝突があると見なし、ｇｒａｎｔ−ベースの信号とｇｒａｎｔ−ｆｒｅｅ信号を結合しない。
【０１０１】
また、第３の実施例において、ｇｒａｎｔ−ｆｒｅｅ  ＵＬリソースとｇｒａｎｔベースのＵＬリソースの間隔がｎサブフレーム（またはスロット、またはミニスロット）内でのみ重複送信を実行することができる。
【０１０２】
Ｇｒａｎｔ−ｆｒｅｅ  ＵＬリソースは、一般的に周期的に割り当てられる。先行のｇｒａｎｔ−ｆｒｅｅ  ＵＬリソースと後行のｇｒａｎｔ−ｆｒｅｅ  ＵＬリソースの両方ともで信号が送信される場合も考える必要がある。したがって、ＧｒａｎｔベースのＵＬリソースで、ｇｒａｎｔ−ｆｒｅｅ  ＵＬリソースで送信されたＴＢが繰り返し送信された場合、基地局がどのｇｒａｎｔ−ｆｒｅｅ  ＵＬリソースで送信されたＴＢであるかを把握することが必要である。
【０１０３】
第３の実施例の動作は、ｇｒａｎｔ−ｆｒｅｅ  ＵＬリソースがコンテンションベースのリソースである場合にのみ適用することもできる。または、第３の実施例の動作は、ＵＬ  ｇｒａｎｔに含まれている臨時識別子がｇｒａｎｔ−ｆｒｅｅ  ＵＬリソースを活性化する時に利用した臨時識別子と同じ場合にのみ適用することもできる。
【０１０４】
２．繰り返し送信された信号の開始時点を指示する方法
【０１０５】
端末がｇｒａｎｔ−ｆｒｅｅ  ＵＬリソースで繰り返し送信を実行する場合、基地局は、繰り返し送信された信号を結合するために、繰り返し送信された信号の開始時点を把握することが必要である。したがって、本実施例では繰り返し信号の開始時点を知らせる技法を提案する。
【０１０６】
本実施例ではアップリンクＴＢがｎ回送信される場合を仮定する。ここで、ｎは、１より大きい整数である。また、繰り返し送信するたびにＲＶ（Ｒｅｄｕｎｄａｎｃｙ  Ｖｅｒｓｉｏｎ）などは、変化する場合もあり、変化しない場合もある。
【０１０７】
第４の実施例として、端末がｇｒａｎｔ−ｆｒｅｅ  ＵＬリソースで新規ＴＢを送信する場合、ＤＭＲＳリソースを変えて信号を送信する。基地局は、ＤＭＲＳの変化を介して新規ＴＢの送信可否を把握する。一例として、端末は、新規ＴＢ送信を知らせるためにｇｒａｎｔ−ｆｒｅｅリソース１内でＤＭＲＳのシーケンスを変化することができる。他の一例として、端末は、新規ＴＢの送信を知らせるために、同じＤＭＲＳシーケンスを互いに異なるｇｒａｎｔ−ｆｒｅｅリソースで送信できる。新規ＴＢ送信時にＤＭＲＳが変化される規則は、基地局が端末にＲＲＣシグナリングと同じ上位階層シグナリングで知らせることができる。
【０１０８】
前記第４の実施例において、一つのｇｒａｎｔ−ｆｒｅｅ  ＵＬリソースは、周期的に割り当てられ、周波数ホッピングされることができる。基地局は、同じ端末が同じＤＭＲＳを利用して送信した信号に対しては復号時に結合を実行し、同じ端末が異なるＤＭＲＳを利用して送信した信号に対しては復号時に結合を実行しない。
【０１０９】
第４の実施例において、端末が一つのｇｒａｎｔ−ｆｒｅｅ  ＵＬリソースの割当を受けた場合を仮定する。一つのｇｒａｎｔ−ｆｒｅｅ  ＵＬリソースは、周期的に割り当てられ、周波数ホッピングされることができる。
【０１１０】
端末１がＴＢ１をＤＭＲＳ１を利用して繰り返し送信を実行中にＴＢ２を送信する場合、端末は、ＤＭＲＳ２を利用して送信する。このとき、端末は、ＴＢ１の送信を止めることもでき、止めずにＴＢ１とＴＢ２を互いに異なるＤＭＲＳを利用して同時に送信することもできる。前記のような動作を端末に指示するために、基地局は、上位階層シグナリングを介して一つのｇｒａｎｔ−ｆｒｅｅ  ＵＬリソース内で新規ＴＢ送信時に利用するＤＭＲＳを追加で指示できる。
【０１１１】
第４の実施例において、端末が多数個のｇｒａｎｔ−ｆｒｅｅ  ＵＬリソースの割当を受けた場合を仮定する。一つのｇｒａｎｔ−ｆｒｅｅ  ＵＬリソースは、周期的に割り当てられ、周波数ホッピングされることができる。また、互いに異なるｇｒａｎｔ−ｆｒｅｅ  ＵＬリソースは、周期の開始時点が互いに異なることがある。
【０１１２】
端末がリソース１でＴＢ１の送信を繰り返して実行中である時、ＴＢ２を送信すべき場合、リソース２でＴＢ２の送信を始める。このとき、端末は、基地局が事前に指定したリソース１のＤＭＲＳとリソース２のＤＭＲＳを利用して信号を送信する。前記のような動作を端末に指示するために、基地局は、上位階層シグナリングを介して各ｇｒａｎｔ−ｆｒｅｅ  ＵＬリソースで端末が利用するＤＭＲＳを指示することができる。
【０１１３】
第５の実施例として、端末がｇｒａｎｔ−ｆｒｅｅ  ＵＬリソースで新規ＴＢを送信する場合にのみ、スケジューリング要求またはプリアンブルのような追加的な信号を送信する。端末がＴＢに対する繰り返し送信または再送信を実行する場合は、追加的な信号を送信しない。基地局は、追加的な信号を受信すると、新規ＴＢの送信が始まったことを把握する。
【０１１４】
前記第５の実施例は、端末がｇｒａｎｔ−ｆｒｅｅ  ＵＬリソースのＤＭＲＳを任意に選択する場合と事前に指定された場合を両方とも含む。
【０１１５】
前記第５の実施例において、端末が一つのｇｒａｎｔ−ｆｒｅｅ  ＵＬリソースの割当を受けた場合を仮定する。一つのｇｒａｎｔ−ｆｒｅｅ  ＵＬリソースは、周期的に割り当てられ、周波数ホッピングされることができる。端末がＴＢ１に対する繰り返し送信を実行中にＴＢ２が到着すると、端末は、ＴＢ１の繰り返し送信を中断し、ＴＢ２を新規に送信する。また、端末は、追加的な信号を送信して新規ＴＢの送信が始まったことを基地局に知らせる。
【０１１６】
基地局は、繰り返し送信中であるＴＢを復号する可能性がある。基地局がＴＢの復号に失敗すると、再送信のためのＵＬ  ｇｒａｎｔを送信することができる。それによって、端末は、既存に送信中である信号を中断して新規ＴＢを送信することが好ましい。もし、基地局が端末のＴＢ１の復号に失敗した状況で新規ＴＢの送信を把握した場合、基地局は、再送信のためのＵＬ  ｇｒａｎｔを端末に伝達できる。
【０１１７】
また、前記のような動作を実行するためには、追加的な信号の割当周期がｇｒａｎｔ−ｆｒｅｅ  ＵＬリソースの割当周期と同じでなければならない。
【０１１８】
前記第５の実施例において、端末が多数個のｇｒａｎｔ−ｆｒｅｅ  ＵＬリソースの割当を受けた場合を仮定する。一つのｇｒａｎｔ−ｆｒｅｅ  ＵＬリソースは、周期的に割り当てられ、周波数ホッピングされることができる。互いに異なるｇｒａｎｔ−ｆｒｅｅ  ＵＬリソースは、周期の開始時点が互いに異なることがある。端末がＴＢ１に対する送信をリソース１で繰り返し実行中にＴＢ２がバッファされると、端末は、ＴＢ１の繰り返し送信をそのまま実行しながら、リソース２でＴＢ２の送信を始める。また、ＴＢ２の送信を始める時、追加的な信号を送信し、新規ＴＢの送信が始まったことを基地局に知らせる。
【０１１９】
もし、リソース１とリソース２が同じサブフレームに割り当てられている場合、端末がＴＢ１とＴＢ２の送信時に各々使用することができる最大電力が制限される。したがって、リソース１とリソース２を互いに異なるサブフレームに割り当てることが好ましい。
【０１２０】
また、前記のような動作を実行するためには追加的な信号が各ｇｒａｎｔ−ｆｒｅｅ  ＵＬリソース別に行われなければならない。一例として、ｇｒａｎｔ−ｆｒｅｅ  ＵＬリソース１が単位時間にＮ１回割り当てられ、ｇｒａｎｔ−ｆｒｅｅ  ＵＬリソース２が単位時間にＮ２回割り当てられる場合、追加的な信号は、単位時間にＮ１＋Ｎ２回割り当てられなければならない。もし、アップリンク送信時にＫ回繰り返しされ、繰り返し送信時に新規ＴＢを送信することができない場合、追加的な信号は、単位時間に（Ｎ１＋Ｎ２）／Ｋ回割り当てられなければならない。
【０１２１】
図９は、本明細書の実施例に係るｇｒａｎｔ−ｆｒｅｅ  ＵＬリソースを介してアップリンクトランスポートブロックを送信する手順を示す。
【０１２２】
本実施例は、端末が事前にスケジューリングされたｇｒａｎｔ−ｆｒｅｅ  ＵＬリソースを介してアップリンクトランスポートブロックを繰り返し送信する場合を仮定する。このとき、基地局が繰り返し送信されたトランスポートブロックを結合して復号するためにはトランスポートブロックの最初送信時点を知らなければならない。本実施例は、端末が基地局にトランスポートブロックの最初送信時点を知らせる多様な実施例を含む。
【０１２３】
Ｇｒａｎｔ−ｆｒｅｅ  ＵＬ送信は、アップリンクグラント無しでアップリンクデータを送信する方式に対応できる。したがって、アップリンクグラントベースのアップリンク送信方式よりは速くデータを送信することができるという長所がある。また、Ｇｒａｎｔ−ｆｒｅｅ  ＵＬリソースは、端末共通リソースであって、互いに異なる端末が同じリソースで同時に信号を送信して衝突現象が発生できる。しかし、本実施例では一つの端末が信号を送信する場合を仮定する。
【０１２４】
まず、ステップＳ９１０において、端末は、基地局から半静的（ｓｅｍｉ−ｓｔａｔｉｃ）にスケジューリングされる第１のグラントフリー（ｇｒａｎｔ−ｆｒｅｅ）アップリンクリソースに対する割当情報を受信する。このとき、端末は、一つのグラントフリーアップリンクリソースの割当を受けた場合を仮定することができる。
【０１２５】
ステップＳ９２０において、端末は、第１の参照信号を使用して前記第１のグラントフリーアップリンクリソースを介して第１のトランスポートブロックを繰り返し送信する。
【０１２６】
ステップＳ９３０において、端末は、前記第１のトランスポートブロックの送信が完了する前に第２の参照信号を使用して第２のトランスポートブロックを送信する。端末は、前記第１のトランスポートブロックの送信が完了する前に第２のトランスポートブロックを送信することができるため、第１のトランスポートブロックを繰り返し送信して第１のトランスポートブロックに対する応答信号（ＡＣＫ／ＮＡＣＫ信号）を受信するために待機する時間にも、第２のトランスポートブロックを送信することができる。このとき、第１の参照信号及び第２の参照信号は、ＤＭＲＳ（ＤｅＭｏｄｕｌａｔｉｏｎ  Ｒｅｆｅｒｅｎｃｅ  Ｓｉｇｎａｌ）に対応できる。
【０１２７】
前記第２のトランスポートブロックは、前記第１のグラントフリーアップリンクリソースを介して送信されることができる。前記第２の参照信号のシーケンスは、前記第１の参照信号のシーケンスと異なることがある。したがって、前記第２のトランスポートブロックは、前記第１の参照信号から前記第２の参照信号への変更を介して前記第１のトランスポートブロックと区別される。即ち、端末は、第１のトランスポートブロックと異なる第２のトランスポートブロックが送信されることを基地局に知らせるために、第１のグラントフリーアップリンクリソース内で第１の参照信号（第１の参照信号のシーケンス）を第２の参照信号（第２の参照信号のシーケンス）に変更できる。
【０１２８】
また、前記第２のトランスポートブロックが送信される時、前記第１のトランスポートブロックは、それ以上送信されない、または前記第２のトランスポートブロックと同時に送信されることができる。第１のトランスポートブロックと第２のトランスポートブロックは、互いに異なる参照信号を使用するため、同じリソースを介して同時に送信されることができる。
【０１２９】
また、端末は、前記基地局から前記第１の参照信号に対する割当情報及び前記第２の参照信号に対する割当情報を受信することができる。前記第１の参照信号に対する割当情報及び前記第２の参照信号に対する割当情報は、ＲＲＣ（Ｒａｄｉｏ  Ｒｅｓｏｕｒｃｅ  Ｃｏｎｔｒｏｌ）シグナリングを介して受信されることができる。前記割当情報は、新しいトランスポートブロックが送信される時、参照信号がどのように変化されるかに対する規則を含むことができる。
【０１３０】
また、端末は、基地局から半静的にスケジューリングされる第２のグラントフリーアップリンクリソースに対する割当情報を受信することができる。このとき、端末は、複数のグラントフリーアップリンクリソースの割当を受けた場合を仮定することができる。
【０１３１】
前記第１のグラントフリーアップリンクリソースに対する割当情報及び前記第２のグラントフリーアップリンクリソースに対する割当情報は、ＲＲＣシグナリングを介して受信されることができる。
【０１３２】
前記第１のグラントフリーアップリンクリソース及び前記第２のグラントフリーアップリンクリソースの各々は、周期的に割り当てられ、周波数ホッピング（ｆｒｅｑｕｅｎｃｙ  ｈｏｐｐｉｎｇ）されることができる。前記第１のグラントフリーアップリンクリソースの周期の開始時点及び前記第２のグラントフリーアップリンクリソースの周期の開始時点は、互いに異なることがある。このとき、前記第２のトランスポートブロックは、前記第２の参照信号を使用して前記第２のグラントフリーアップリンクリソースを介して送信されることができる。
【０１３３】
他の実施例として、前記第２のトランスポートブロックが送信される時、端末は、スケジューリング要求（ｓｃｈｅｄｕｌｉｎｇ  ｒｅｑｕｅｓｔ）またはプリアンブルを追加で送信できる。このとき、前記第２のトランスポートブロックは、前記前記スケジューリング要求または前記プリアンブルを介して前記第１のトランスポートブロックと区別されることができる。
【０１３４】
端末は、前記基地局から前記第１の参照信号に対する割当情報及び前記第２の参照信号に対する割当情報を受信することができる。この場合、端末は、前記第１の参照信号及び前記第２の参照信号を任意に選択することができる。
【０１３５】
前記第１のトランスポートブロックの復号が失敗する場合、端末は、前記基地局からアップリンクグラント（ｕｐｌｉｎｋ  ｇｒａｎｔ）を受信することができる。端末は、前記アップリンクグラントに基づいて前記第１のトランスポートブロックを再送信することができる。前記第２のトランスポートブロックが送信され、または前記アップリンクグラントが受信される場合、前記第１のトランスポートブロックは、前記第１のグラントフリーアップリンクリソースを介してそれ以上送信されない。即ち、第１のトランスポートブロックは、前記第１のグラントフリーアップリンクリソースを介して初期送信または繰り返し送信されることができた。しかし、端末が再送信のためのアップリンクグラントを受信すると、端末は、アップリンクグラントでスケジューリングされたリソースを介して第１のトランスポートブロックを再送信し、または繰り返し送信できる。
【０１３６】
また、端末は、前記基地局から半静的にスケジューリングされる第２のグラントフリーアップリンクリソースに対する割当情報を受信することができる。前記第２のトランスポートブロックは、前記第２の参照信号を使用して前記第２のグラントフリーアップリンクリソースを介して送信されることができる。前記第１のグラントフリーアップリンクリソース及び前記第２のグラントフリーアップリンクリソースは、互いに異なるサブフレームに割り当てられることができる。前記第１のグラントフリーアップリンクリソース及び前記第２のグラントフリーアップリンクリソースが互いに同じサブフレームに割り当てられると、端末が第１のトランスポートブロックと第２のトランスポートブロックを送信する時に使用することができる最大電力が制限されるためである。
【０１３７】
ステップＳ９４０とステップＳ９５０は、端末が基地局に第１のトランスポートブロック及び第２のトランスポートブロックの最初送信時点を知らせた以後に基地局での動作を説明する。
【０１３８】
具体的に、前記第１のトランスポートブロックの最初送信時点は、前記基地局により前記第１の参照信号を使用して確認されることができる。前記第２のトランスポートブロックの最初送信時点は、前記基地局により前記第２の参照信号を使用して確認されることができる。基地局は、第１の参照信号から第２の参照信号に、参照信号が変化されたことを介して新しいトランスポートブロックが受信されたことを把握することができる。
【０１３９】
それによって、ステップＳ９４０において、前記繰り返し送信された第１のトランスポートブロックは、前記基地局により結合して復号されることができる。基地局は、復号を実行するために繰り返し送信された第１のトランスポートブロックを全て結合しなければならない。ステップＳ９５０において、前記第２のトランスポートブロックは、前記基地局により前記第１のトランスポートブロックと結合せずに復号されることができる。基地局が第２の参照信号を介して第１のトランスポートブロックと第２のトランスポートブロックを区別することができるため、第２のトランスポートブロックは、第１のトランスポートブロックと別途に復号されることができる。
【０１４０】
図１０は、本明細書の実施例が具現される機器を示すブロック図である。
【０１４１】
無線装置１０００は、プロセッサ１０１０、メモリ１０２０、ＲＦ（ｒａｄｉｏ  ｆｒｅｑｕｅｎｃｙ）部１０３０を含むことができる。
【０１４２】
プロセッサ１０１０は、前述した機能、手順、方法を具現するように設定されることができる。無線インターフェースプロトコル（ｒａｄｉｏ  ｉｎｔｅｒｆａｃｅ  ｐｒｏｔｏｃｏｌ）の階層（ｌａｙｅｒ）は、プロセッサに具現されることができる。プロセッサ１０１０は、前述した動作を駆動するための手順を実行することができる。メモリ１０２０は、動作的にプロセッサ１０１０に連結され、ＲＦユニット１０５０は、プロセッサ１０１０に動作的に連結される。
【０１４３】
プロセッサ１０１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ１０２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１０３０は、無線信号を処理するためのベースバンド回路を含むことができる。実施例がソフトウェアで具現される時、前述した技法は、前述した機能を遂行するモジュール（過程、機能など）で具現されることができる。モジュールは、メモリ１０２０に格納され、プロセッサ１０１０により実行されることができる。メモリ１０２０は、プロセッサ１０１０の内部または外部にあり、広く知られた多様な手段でプロセッサ１０１０と連結されることができる。
【０１４４】
前述した一例に基づいて本明細書による多様な技法が図面と図面符号を介して説明された。説明の便宜のために、各技法は、特定順序によって多数のステップやブロックを説明したが、このようなステップやブロックの具体的順序は、請求項に記載された発明を制限するものではなく、各ステップやブロックは、異なる順序で具現され、または他のステップやブロックと同時に実行されることが可能である。また、通常の技術者であれば、各ステップやブロックが限定的に記述されたものではなく、発明の保護範囲に影響を与えない範囲内で少なくとも一つの他のステップが追加または削除可能であるということがわかる。
【０１４５】
前述した実施例は、多様な一例を含む。通常の技術者であれば、発明の全ての可能な一例の組み合わせが説明されることができないことがわかり、また、本明細書の記述から多様な組み合わせが派生することができることがわかる。したがって、発明の保護範囲は、請求項に記載された範囲を外れない範囲内で、詳細な説明に記載された多様な一例を組み合わせて判断しなければならない。
【図１】
0006894519.tif 000003
【図２】
0006894519.tif 000004
【図３】
0006894519.tif 000005
【図４】
0006894519.tif 000006
【図５】
0006894519.tif 000007
【図６】
0006894519.tif 000008
【図７】
0006894519.tif 000009
【図８】
0006894519.tif 000010
【図９】
0006894519.tif 000011
【図１０】
0006894519.tif 000012